(57)【要約】【課題】収納した硬貨の種類ごとの合計金額や合計枚数を表示する目盛りを備えた手提金庫を提供すること。【解決手段】本体２０と、該本体２０内に取付けられて主に硬貨や紙幣を収納するトレー７０と、本体２０を開閉する蓋部３０と、本体２０に対して蓋部３０を閉口状態で係止するロック手段５０と、手提手段を有する手提金庫１００であって、さらに、収納した硬貨の種類ごとの合計金額または合計枚数を表示する目盛りをトレー７０の底部に備える。好適には、この目盛りは１円、１０円及び１００円硬貨を収納する際、硬貨の種類ごとに合計金額を表示し、かつ、５円、５０円及び５００円硬貨を収納する際、硬貨の種類ごとに合計金額と合計枚数を組合せて表示する。【選択図】　　　　図３
2004052320.tif 000002
【特許請求の範囲】
【請求項１】
本体と、該本体内に取付けられて主に硬貨や紙幣を収納するトレーと、前記本体を開閉する蓋部と、前記本体に対して前記蓋部を閉口状態で係止するロック手段と、手提手段を有する手提金庫であって、さらに、前記トレーは収納した硬貨の種類ごとの合計金額または合計枚数を表示する目盛りを備えることを特徴とする手提金庫。
【請求項２】
前記目盛りは１円、１０円及び１００円硬貨を収納する際、硬貨の種類ごとに合計金額を表示し、かつ、５円、５０円及び５００円硬貨を収納する際、硬貨の種類ごとに合計金額と合計枚数を組合せて表示することを特徴とする請求項１に記載の手提金庫。
【請求項３】
前記目盛りは、表示部を硬貨積載方向に沿って３列に区分して、そのうち２列の表示部の各々に、硬貨２枚に相当する間隔の目盛り線と硬貨３枚に相当する間隔の目盛り線とを交互に設け、かつ、残りの１列の表示部に、硬貨５枚に相当する間隔の目盛り線を設け、この際、５枚ごとの目盛りを強調して表示することを特徴とする請求項１または２に記載の手提金庫。
【発明の詳細な説明】
【０００１】
【発明の属する技術分野】
本発明は、手提金庫に関するものである。
【０００２】
【従来の技術】
硬貨や紙幣等のお金を収納、保管する金庫は、多額のお金や大きな貴重品等を収納し得るよう頑強に作られた設置型の大型金庫と、日常の小額の金銭管理に用いられ、持ち運びやすいよう小型軽量に作られた手提金庫とに大別される。後者の手提金庫の場合、災害時等の緊急時用に金銭や貴重品等を持ち運ぶために大型金庫内に保管されたり、あるいは日常の小売業の会計業務に使用されたりより柔軟に使用されるため、使用勝手を高めるためにさらなる機能を有するものがある。
【０００３】
例えば、特開平９−２１７５５２号公報に開示された手提金庫では、単に貴重品を持ち運び自在に収納、保管するのみならず、紙幣を種類別に分類して収納保管し得るように構成することにより、一目で概略の金額を把握し得ると共に取出し易くしている。具体的には、特開平９−２１７５５２号公報に開示された発明は、硬貨や紙幣等を収納保管した状態で持ち運びに供される手提金庫において、本体の収納部を、前記硬貨を収納する硬貨用トレーと、紙幣を収納する紙幣用トレーとに分割し、前記紙幣用トレーを上部が全面開放された矩形状の有底箱体で構成すると共に、その内部を仕切板により複数の区画に画成し、これら複数の区画の夫々に前記紙幣を種類別に収納し得るよう構成している。
【０００４】
このように、特開平９−２１７５５２号公報に開示された発明は、収納する紙幣の金額の把握と取出し作業を容易にしているが、しかし、収納する硬貨の金額または枚数を把握するための手段を有していなかった。しかしながら、硬貨を頻繁に扱う小売業務等では、紙幣よりも、より使用頻度の高い硬貨の金額または枚数を数える手段を手提金庫に備えることがより好ましい場合がある。さらに、手提金庫を災害時等の緊急時に使用する場合では、不安定な心理状態に置かれる使用者は、冷静に硬貨の枚数を計算できない場合が想定し得るため、係る場合においても、収納する硬貨の金額または枚数を数える手段を手提金庫に備えることが好ましいと思料される。しかしながら、従来、収容した硬貨の種類ごとの合計金額や合計枚数を表示する手段を備えた手提金庫は公知ではなかった。
【０００５】
【発明が解決しようとする課題】
本発明は、以上の点に鑑みてなされたものであり、収容した硬貨の種類ごとの合計金額や合計枚数を表示する目盛りを備えた手提金庫を提供することを目的とする。
【０００６】
【課題を解決するための手段】
上記目的を達成するために、請求項１に記載の発明は、本体と、該本体内に取付けられて主に硬貨や紙幣を収納するトレーと、前記本体を開閉する蓋部と、前記本体に対して前記蓋部を閉口状態で係止するロック手段と、手提手段を有する手提金庫であって、さらに、前記トレーは収納した硬貨の種類ごとの合計金額または合計枚数を表示する目盛りを備えることを特徴とする。
このように構成することにより、従来の手提金庫は硬貨を収納、保管するだけであったのに対して、さらに、収納した硬貨の種類ごとの合計金額または合計枚数の把握を容易にする。
【０００７】
また、請求項２に記載した発明においては、請求項１に記載の発明において、前記目盛りは１円、１０円及び１００円硬貨を収納する際、硬貨の種類ごとに合計金額を表示し、かつ、５円、５０円及び５００円硬貨を収納する際、硬貨の種類ごとに合計金額と合計枚数を組合せて表示することを特徴とする。
このように構成することにより、１円、１０円及び１００円硬貨のように桁数の変換のみで合計金額と合計枚数の変換が簡単にできるものは硬貨の合計金額のみを表示させ、かつ、５円、５０円及び５００円硬貨のように合計金額と合計枚数の変換がより複雑なものは合計金額と合計枚数を組合せて表示することによって、無駄なく、収納した硬貨の種類ごとの合計金額と合計枚数の把握を容易にする。
【０００８】
そして、請求項３に記載した発明においては、請求項１または２に記載の発明において、前記目盛りは、表示部を硬貨積載方向に沿って３列に区分して、そのうち２列の表示部の各々に、硬貨２枚に相当する間隔の目盛り線と硬貨３枚に相当する間隔の目盛り線とを交互に設け、かつ、残りの１列の表示部に、硬貨５枚に相当する間隔の目盛り線を設け、この際、５枚ごとの目盛りを強調して表示することを特徴とする。
このように構成することにより、使用者は、硬貨５枚ごとに、収納する硬貨の合計金額または合計枚数の把握を目盛りの読み間違えのないように行うことができる。
【０００９】
本発明に係る手提金庫は基本的には以上のように構成されるが、好適には硬貨を収納するトレーと紙幣を収納するトレーは同一部材からなるが、しかし、硬貨を収納するトレーと紙幣を収納するトレーを夫々別体の部材から構成してもよい。さらに、好適には収納した硬貨の種類ごとの合計金額または合計枚数を表示する際、少なくとも５枚ごとに強調して表示するが、この強調手段は目盛りの色分け、目盛りの文字の種類や大きさの変更、さらには蛍光塗料等の使用によって行ってもよい。
【００１０】
【発明の実施の形態】
以下、本発明の好適な実施形態を、添付した図を参照して詳細に説明する。
【００１１】
図１に示すように、本発明の実施の形態に係る手提金庫１００は、少なくとも本体２０と、該本体を開閉する蓋部３０と、手提手段４０と、本体２０に対して蓋部３０を閉口状態で係止（保持）するロック手段（ロック機構）５０を有し、主に硬貨や紙幣を持ち運び自在に収納、保管する。
具体的には、図２に示すように、本体２０は上方が縁部２１に沿って開放した矩形状の有底箱体であり、この底部２２に対して貴重品等を収納、保管する。また、本体２０は蓋部３０の後部３２において蝶番部材等により枢着されて、開閉自在に構成される。ただし、閉口時には図１に示したように、蓋部３０は周囲の縁部３１に沿って本体の縁部２１と隙間を生じさせないように密着する。この際、手提金庫１００はロック手段５０を備えて、図１に示した閉口状態を係止（保持）させることで防盗性を有する。また、本体２０及び蓋部３０を比較的軽量な部材から構成して、手提金庫１００の運搬性を高める。さらに、手提金庫１００に耐火性を備えることが求められる場合には、本体２０及び蓋部３０を耐火性能を満足する部材から構成する。
以下、本発明の実施の形態に係る手提金庫１００は少なくとも防盗性と運搬性を有し、必要に応じて耐火性を有するものとするが、本体２０及び蓋部３０は適当な素材から構成されて、またこれら部材の大きさ及び重量については特定されない。
【００１２】
尚、図１に示すように、手提金庫１００は運搬性を高めるため、好適には蓋部３０の上方に任意の手提手段４０を備える。好ましくは、蓋部３０は上面を一部内側に陥没させて凹部３３を形成し、この中に手提手段４０を収納する。図示した実施の形態では、手提手段４０は主に蓋部３０に固設される支持部４１と該支持部４１に対して回転自在に取付けられる取っ手４２からなる。そして、保管時には取っ手４２は凹部３３内に収納され、蓋部３０の表面から突出しないが、しかし移動時には取っ手４２はこの凹部３３内から回転して起立し、手によって掴持自在の状態に変化する（図示せず）。このように保管時には手提手段４０を蓋部３０上面から突出しないように収納することで、手提金庫１００を他の部材と干渉させることなく積重ね自在に構成する。ただし、支持部４１の形状は図示した実施の形態に限定されず、他グリップされやすい任意の形状に形成されてもよい。
【００１３】
また、図１に示すように、手提金庫１００はロック手段（ロック機構）５０を備えて、不本意に本体２０に対して蓋部３０が開口するのを防止する。即ち、図２に示すように、蓋部３０は蝶番部材により枢着される後部３２と反対側（手前側）の縁部３１の裏面側に、係止片５３を本体２０に向けて延出する。そして、本体２０の上面前部の、蓋部３０を閉口した際に係止片５３と対応する縁部２１の位置に係止板（係止溝）５４を設ける。そして、係止板５４に係止片５３を差し込んだ際（図１参照）、鍵穴５１内に別体の鍵（図示せず）を差し込んで回転させることにより、係止片５３と係止板５４との関係を係止位置と解除位置との間で切り替える。即ち、鍵穴５１内で鍵を適宜回転させることで、係止片５３と係止板５４とを係止させて、本体２０に対して蓋部３０を閉口状態に係止する。同様に、鍵穴５１内で鍵を回転させることで、係止片５３と係止板５４との係止状態を解除させる。この際、本体２０前面に配設した操作部５２を操作して、図２に示すように係止片５３を係止板５４から外しながら、手前側から蓋部３０を後方に向って回動させて、本体２０を開口させる。このようにロック手段５０は鍵穴５１に対する鍵の回転操作によって、係止板５４に対する係止片５３の係止状態を適宜選択させて、手提金庫１００の係止状態を任意に定める。ただし、ロック手段５０は他、鍵と鍵穴の替わりに、例えば、ダイヤルを本体２０前面に配設して、設定目盛に合わせるように適当に回転させて、本体２０に対する蓋部３０の係止状態を選択させるようにしてもよい（図示せず）。
【００１４】
さらに、好適には、図２に示すように、本体２０を開口させる際、符号６０に示す任意の開閉手段を備えて、蓋部３０を所定角度で起立させる。好適には、開閉手段６０は一方の端部６１を蓋部３０と固定するとともに、この他方の端部６２を本体２０内に取付けて、この所定の全長によって、本体２０に対する蓋部３０の開放角度を限定させる。このように蓋部３０の開放角度を予め定めることによって、本体２０に対して蓋部３０を所定の角度で起立させる。このため、手提金庫１００内に貴重品を収納するとき、蓋部３０を介して反対側から当該作業を覗き込まれることがないようにできる。
【００１５】
そして、好適には、本体２０の底部２２に対して貴重品等を収納する際、図３に示すように、本体２０に別体のトレー７０を取付けて、二重構造的に貴重品を内部に保管する。即ち、トレー７０に硬貨や紙幣等の貴重品を保管するとともに、別体のトレー７０を本体２０から任意に着脱することによって、図２に示すように、本体２０内部のトレー７０の下方にさらに貴重品を保管する。この際、本体２０の底部２２に仕切板（図示せず）を配設して、トレー７０の下方に複数の区画を定めて、整理した状態で貴重品を収納させてもよい。さらに、本体２０に対してトレー７０を配置する際、任意のロック手段（図示せず）によって本体２０とトレー７０とを隙間を生じさせないように係止させて、このロック手段と上記ロック手段５０とを併用して、トレー７０下方に収納する貴重品を二重構造的に保護してもよい（図示せず）。
【００１６】
ここで図４及び図５を参照して、本発明の好適な実施の形態に係るトレー７０について詳述する。
即ち、図４に示すように、トレー７０は周囲に縁部（係止手段）７１を備えて、この縁部７１から、図３に示したように、手提金庫１００の本体２０の上方縁部２１に取付けられる。さらに、トレー７０は複数の収納部７２、７５、７８を設けて、硬貨、紙幣等の貴重品を区分して収納する。図示した実施の形態では、硬貨を種類ごとに収納するため、１円、５円、１０円、５０円、１００円及び５００円硬貨用に夫々収納部７２ａ、７２ｂ、７２ｃ、７２ｄ、７２ｅ及び７２ｆを設ける。これら収納部７２は手前側に凹状部７３、７４を設けて、指先による収納部７２内への硬貨の着脱操作を容易にする。また、紙幣を収納する収納部７５を備えるとともに、符号７６に示すように任意の押圧手段（紙幣押さえ手段）を備えて、収納部７５内に収納した紙幣が容易に抜け落ちないように上方から押圧する。好適には径の細い針金を折曲形成して押圧手段７６を構成し、針金の有する可撓性を利用して、適宜紙幣を抜き出せるように、収納部７５内に紙幣を積重ねて収納する。さらに、符号７７に示すようにこの収納部７５の底部に幅の狭い溝部７７を形成し、最下層に収納した紙幣を取出す際に、この溝部７７に指先を挿入することによって紙幣の取出しを容易にする。そして、符号７８に示すようにさらなる収納部を設けて、例えば切手、小切手、印紙、印鑑または宝石類等の任意の貴重品を硬貨、紙幣と区別して収納できるようにする。
【００１７】
ただし、図３に示したように、トレー７０は常に本体２０の上方縁部２１に対して取付けられる必要はなく、例えば本体２０の内壁に内側に向って突出する係合部（図示せず）を設けて、この係合部に対して係止するように構成してもよい。また、図示した実施の形態では、トレー７０は硬貨の収納部７２と紙幣の収納部７５を一体に提供するが、しかしながら、硬貨の収納部７２と紙幣の収納部７５を夫々別体となるように、複数のトレーを本体２０に対して取付けてもよい（図示せず）。さらに、図示した実施の形態では、手提金庫１００は単一のトレー７０のみを備えているが、しかしながら複数のトレーを積重ねて内部に収納してもよい（図示せず）。さらに、トレー７０は収納部７２内に硬貨を挿入する際、この収納部７２の側部に、例えば硬貨５枚ごとに、一体形成した、または別体に取付けられた仕切り部を備えて、硬貨の収納枚数をより容易に把握できるようにしてもよい。そして、好適にはトレー７０はプラスチック、金属あるいは木材等のように、任意の部材から形成する。ただし、必要に応じて、トレー７０は耐火性を満足させてもよい。
【００１８】
本発明の実施の形態に係る手提金庫１００は以上のように構成されて、内部に貴重品を収納、保管するが、さらに、図６〜図８に示すように、保管した硬貨の種類ごとの合計金額または合計枚数を表示する目盛り１０を備える。この目盛り１０は本体２０の任意の場所に配設することができるが、好適には、図５のハッチング部７９に示すように、トレー７０の硬貨用収納部７２の底部に配設する。
【００１９】
ここで図６〜図８を参照して、本発明の実施の形態に係る目盛り１０について具体的に説明する。本発明に係る実施の形態では、目盛り１０を用いて収納した硬貨を数える際、硬貨の種類ごとの合計金額と合計枚数を適宜組合せて表示させる。尚、従来、例えば、硬貨を頻繁に扱う小売業では、目盛りを備えた専用のコイン収納具を用いて、収納した硬貨の種類ごとの合計金額を表示させる場合があった。これは、硬貨を頻繁に扱う小売業務上、適宜、合計金額の把握を容易に行うことが望ましいためである。しかしながら、手提金庫においては、硬貨の種類毎の合計金額と合計枚数を適宜組合せて表示するものは公知ではなかった。これは、小売業務に使用するには、収納した硬貨の種類ごとの合計金額を表示すれば十分であったためであると思料する。一方、本発明に係る実施の形態では、硬貨を保管するため、この管理上、硬貨の種類ごとの合計金額のみならず、合計枚数の把握を容易にする。
【００２０】
ただし、１円、１０円及び１００円硬貨の場合には、合計金額と合計枚数の変換が桁数の変更のみによって容易にできる点に鑑み、１円、１０円及び１００円硬貨用の目盛り１０（図６参照）は、好適には、硬貨の種類ごとに合計金額のみを表示させる。一方、５円、５０円及び５００円硬貨の場合には、合計金額と合計枚数との変換が常に容易にできない場合がある点に鑑み、５円、５０円及び５００円硬貨硬貨用の目盛り１０（図７参照）は、好適には、硬貨の種類ごとに合計金額と合計枚数を組合せて表示する。
【００２１】
即ち、１円、１０円及び１００円硬貨の場合は、図６の（Ａ）に示すように、目盛り１０は表示部１１の上方に使用する硬貨の種類を示すタイトルを表示させ、さらに表示部１１を硬貨積載方向に沿って３列１２、１３、１４に区分して、そのうち２列１２、１３の各々に、硬貨２枚に相当する間隔の目盛り線ａと硬貨３枚に相当する間隔の目盛り線ｂとを交互ａ、ｂ、ａ、ｂ、ａ、ｂ．．．に設け、かつ、残りの１列１４に、硬貨５枚に相当する間隔の目盛り線ｃを表示する。ただし、硬貨を最初に収納する位置が符号１５に示す位置から開始する場合、次に硬貨を収納する位置１６は位置１５から硬貨１枚の厚さ分だけ離れる。この間隔は、列１２の表示開始位置と列１３の表示開始位置の間隔に相当する。同様に、５枚目の硬貨を収納する位置１７は、最初に硬貨を収納する位置１５から硬貨４枚の厚さ分だけ離れる。そして、列１２、１３、１２、１３、１４と所定の順序で硬貨の合計金額を表示させる。尚、硬貨５枚に相当する間隔の目盛り線ｃを表示する際、この目盛りだけ色分けして、または文字の種類、大きさを変えて、さらには蛍光塗料等を使用して合計金額を強調して表示させてもよい。このように構成することによって、使用者は常に５枚おきに目盛り１０の読み違いのないように注意を払うことができる。
また、５円、５０円及び５００円硬貨の場合は、図７の（Ａ）に示すように、さらに、列１２と１３に合計金額を表示させる際、符号１８、１９に示すように夫々列１２、１３と並んで、合計金額とともに合計枚数を表示させる。尚、図示した実施の形態では、硬貨５枚ごとの表示部に相当する列１４には合計枚数を表示させていないが、これは５枚ごとの合計金額と合計枚数の変換は容易であると思料したためである。しかしながら、本発明に係る他の実施の形態では、任意の手段によって列１４に合計枚数を表示させてもよい。
【００２２】
ここで添付した図８の（Ａ）〜（Ｃ）を参照して、５００円硬貨用の目盛りを用いて、収納する硬貨１の合計金額及び合計枚数を把握する方法について説明する。ただし、図８の（Ａ）は１枚の５００円硬貨１を収納した状態を示す図であり、図８の（Ｂ）は２枚の５００円硬貨１を収納した状態を示す図であり、そして、図８の（Ｃ）は５枚の５００円硬貨１を収納した状態を示す図である。
図８の（Ａ）に示すように、硬貨１を１枚収納する際、この硬貨１の上面の定めるラインＬ上に収納した合計金額（５００）と合計枚数（１）の表示が現れる。この他の表示、例えば硬貨２枚に相当する合計金額（１０００）と合計枚数（２）の表示は、収納する硬貨１と離れて表示されるため、この場合、係る表示は適切ではないことが理解できる。そして、図８の（Ｂ）に示すように、硬貨１を２枚収納する際、収納される最上位の硬貨１の上面Ｌの定めるライン上に合計金額（１０００）と合計枚数（２）の表示が現れる。この際、先に表示された硬貨１枚に相当する合計金額（５００）と合計枚数（１）の表示は、収納する硬貨１の厚さによって一部隠れて表示され、もはや適切な表示ではないことが理解できる。さらに、図８の（Ｃ）に示すように、硬貨１を５枚収納する際、収納される最上位の硬貨１の上面Ｌの定めるライン上に合計金額（２５００）の表示が強調して表示される。
このように、本発明の実施の形態に係る目盛り１０は、収納する硬貨の種類ごとの合計枚数と合計金額の把握を容易にする。ただし、５００円以外の硬貨の合計枚数と合計金額を把握する場合も、図８に示した実施の形態と同様に行われる。
【００２３】
尚、図示した実施の形態では、目盛り１０は、合計枚数と合計金額の表示を左列から右列に向って表示しているが、右列から左列に向って表示させてもよい。さらに、５枚おきに合計枚数を表示する列１４は、表示部１１の中央列に表示させてもよい。そして、本発明に係る手提金庫の目盛りは日本国の通貨に限定して構成される必要はなく、他、任意の国の任意の通貨制度に合わせて構成されてもよい。
【００２４】
【発明の効果】
本発明は以上説明したように構成された手提金庫であるから、請求項１に記載した発明によれば、従来の手提金庫は硬貨を収納、保管するだけであったのに対して、さらに、収納した硬貨の種類ごとの合計金額または合計枚数の把握を容易にできる。
【００２５】
請求項２に記載した発明によれば、上記効果に加え、１円、１０円及び１００円硬貨のように桁数の変換のみで合計金額と合計枚数の変換が簡単にできるものは硬貨の合計金額のみを表示させ、かつ、５円、５０円及び５００円硬貨のように合計金額と合計枚数の変換がより複雑なものは合計金額と合計枚数を組合せて表示することによって、無駄なく、収納した硬貨の種類ごとの合計金額と合計枚数の把握を容易にできる。
【００２６】
請求項３に記載した発明によれば、上記効果に加え、使用者は、硬貨５枚ごとに、収納する硬貨の合計金額または合計枚数の把握を目盛りの読み間違えのないように行うことができる。
【図面の簡単な説明】
【図１】本発明の実施の形態に係る手提金庫を示す斜視図である。
【図２】トレーを取外した手提金庫を開口したときの斜視図である。
【図３】トレーを備えた手提金庫を開口したときの斜視図である。
【図４】本発明の実施の形態に係るトレーを単体で示す斜視図である。
【図５】図５に示したトレーの平面図であり、目盛りの取付け位置をハッチングにより示す図である。
【図６】本発明の実施の形態に係る１円、１０円及び１００円硬貨用の目盛りを夫々（Ａ）、（Ｂ）及び（Ｃ）に分けて示す図である。
【図７】本発明の実施の形態に係る５円、５０円及び５００円硬貨用の目盛りを夫々（Ａ）、（Ｂ）及び（Ｃ）に分けて示す図である。
【図８】図７の（Ｃ）に示した５００円硬貨用の収納部に、５００円硬貨を１、２及び５枚収納したときの状態を夫々（Ａ）、（Ｂ）及び（Ｃ）に分けて示す図である。
【符号の説明】
１０　　　　　目盛り
２０　　　　　本体
３０　　　　　蓋部
４０　　　　　手提手段
５０　　　　　ロック手段
６０　　　　　開閉手段
７０　　　　　トレー
１００　　　　手提金庫
【図１】
2004052320.tif 000003
【図２】
2004052320.tif 000004
【図３】
2004052320.tif 000005
【図４】
2004052320.tif 000006
【図５】
2004052320.tif 000007
【図６】
2004052320.tif 000008
【図７】
2004052320.tif 000009
【図８】
2004052320.tif 000010